(57)【要約】      （修正有）【課題】モニターを上向きあるいは下向きに調整させる機能および時計回りおよび反時計回りに回転する機能を有し、視聴者は簡単にモニターを適当な角度に調整することができる壁掛金具を提供する。【解決手段】固定座１１と、回動自在に該固定座に設けられる回転座１２と、それぞれ該回転座の側面に設けられて該固定座に固定される２つの回転棒体部品１３とを備える回転部品１０と、該回転部品の回転座に設けられると共に、内環体と、外環体と、該内環体と該外環体との間に設置されると共に、時計回りあるいは反時計回りに回転可能な回り座とを備える回り部品２０とを有するものである。【選択図】図３
0003165408.tif 000002
【実用新案登録請求の範囲】
【請求項１】
回転部品と、回り部品を有し、
その内、前記回転部品は、固定座と、回転座と、２つの回転棒体部品とを有し、前記回転座は、回動自在に前記固定座に設けられ、前面板体と、それぞれ前記前面板体の両側から延出する２つの側面板体と、前記各側面板体の中段に穿設される枢軸孔と、前記各側面板体の上部または下部に穿設されると共に、前記枢軸孔を円心とする弧状を呈する２つの摺動孔とを備えるものであり、前記２つの回転棒体部品は、それぞれ前記２つの側面板体に設けられて前記固定座に固定されると共に、前記各回転棒体部品における中段および前記側面板体の枢軸孔を通して前記固定座の側壁部に螺設される支点ねじと、それぞれ前記回転棒体部品における両端、前記側面板体にある２つの摺動孔を通して前記固定座の側壁部に螺設される２つの摺動ねじとを備え、
前記回り部品は、前記回転座に設けられ、前記回転座の前面板体に位置する内環体と、前記内環体および前記回転座に設けられる回り座と、前記内環体と対応するように前記回り座に穿設される貫通孔と、前記貫通孔と対応するように前記回り座に設けられる外環体と、内端が前記外環体、前記回り座の貫通孔、前記内環体を通して前記回転座に当接されると共に、少なくとも１つの結合ねじによって前記回転座に螺設されるように、外端周縁から延設され、前記貫通孔の内径より大径なフランジを備える位置決め座とを備えることを特徴とする調整可能な壁掛金具。
【請求項２】
前記回転座は、前面板体の正面に凸設される２つの回り止め凸部を備え、
前記回り部品は、回転座に面する回り座の後面に凸設されるように、回転座が回転時において同一の円周状回転軌道における回り止め凸部と反対する側に位置する２つの当接凸部を備えることを特徴とする請求項１に記載の調整可能な壁掛金具。
【請求項３】
前記各回転棒体部品は、それぞれ前記側面板体の相対する両側に設置される内棒体および外棒体を備え、
前記支点ねじが前記外棒体の中段および前記内棒体の中段に枢設され、
前記２つの摺動ねじがそれぞれ前記外棒体の両端および前記内棒体の両端に挿設されることを特徴とする請求項１または２に記載の調整可能な壁掛金具。
【請求項４】
前記回転座は、前面板体の正面に凹設される円形の位置決め凹部を備え、
前記内環体が前記位置決め凹部に位置すると共に、前記位置決め座の内端が前記位置決め凹部に当接されることを特徴とする請求項３に記載の調整可能な壁掛金具。
【考案の詳細な説明】
【技術分野】
【０００１】
本考案は、特にモニターの向き角度を調整することができる壁掛金具に関するものである。
【背景技術】
【０００２】
近年、薄型モニターは、多分野で応用され、例えば、家庭用テレビ、商業広告用看板や、病院または駅などの掲示板等に使用されており、そこでモニターための専用商品（例えば、モニター用設置台、モニター用懸架装置や、モニター回転装置）も開発される。
【０００３】
現在のモニター技術では、モニターを縦方向または横方向に設置されることが可能であり、モニターの画面にはその設置方向に基づいて自動で対応する縦方向または横方向に変えることができる。
【考案の概要】
【考案が解決しようとする課題】
【０００４】
しかしながら、既存のモニター用壁掛金具は、視聴者によって、モニターの上下向きを調整する機能を有する。しかし、モニターを回転させることができないので、画面が自動的に縦または横に変える、高度先端技術を有する現在のモニターに対して利便性が依然として不足しているという問題があった。
【課題を解決するための手段】
【０００５】
本考案に係る調整可能な壁掛金具は、回転部品と、回り部品とを有し、その内、該回転部品は、固定座と、回転座と、２つの回転棒体部品とを有し、該回転座は、回動自在に該固定座に設けられ、前面板体と、それぞれ該前面板体の両側から延出する２つの側面板体と、該各側面板体の中段に穿設される枢軸孔と、該各側面板体の上部または下部に穿設されると共に、該枢軸孔を円心とする弧状を呈する２つの摺動孔とを備えるものであり、該２つの回転棒体部品は、それぞれ該２つの側面板体に設けられて該固定座に固定されると共に、該各回転棒体部品における中段および該側面板体の枢軸孔を通して該固定座の側壁部に螺設される支点ねじと、それぞれ該回転棒体部品における両端、該側面板体にある２つの摺動孔を通して該固定座の側壁部に螺設される２つの摺動ねじとを備えるものである。
【０００６】
また、該回り部品は、該回転座に設けられ、該回転座の前面板体に位置する内環体と、該内環体および該回転座に設けられる回り座と、該内環体と対応するように該回り座に穿設される貫通孔と、該貫通孔と対応するように該回り座に設けられる外環体と、内端が該外環体、該回り座の貫通孔、該内環体を通して該回転座に当接されると共に、少なくとも１つの結合ねじによって該回転座に螺設されるように、外端周縁から延設され、該貫通孔の内径より大径なフランジを備える位置決め座とを備えるものである。
【０００７】
前記回転座は、前面板体の正面に凸設される２つの回り止め凸部を備え、
前記回り部品は、回転座に面する回り座の後面に凸設されるように、回転座が回転時において同一の円周状回転軌道における回り止め凸部とは反対側に位置する２つの当接凸部を備えることが好ましい。
【０００８】
前記各回転棒体部品は、それぞれ前記側面板体の相対する両側に設置される内棒体および外棒体を備え、
前記支点ねじが該外棒体の中段および該内棒体の中段に枢設され、
前記２つの摺動ねじがそれぞれ該外棒体の両端および該内棒体１３０の両端に挿設されても構わない。
【０００９】
前記回転座は、前面板体の正面に凹設される円形の位置決め凹部を備え、
前記内環体が該位置決め凹部に位置すると共に、前記位置決め座の内端が該位置決め凹部に当接されることができる。
【考案の効果】
【００１０】
本考案に係る調整可能な壁掛金具は上記の課題を解決するものであり、回転部品および回り部品の備えることによって、モニターを上向きあるいは下向きに調整させる機能および、時計回りおよび反時計回りに回転する機能を有し、視聴者は簡単にモニターを適当な角度に調整して見やすい表示状態を得る。
【図面の簡単な説明】
【００１１】
【図１】本考案に係る調整可能な壁掛金具の斜視図である。
【図２】本考案に係る調整可能な壁掛金具の部分分解斜視図である。
【図３】本考案に係る調整可能な壁掛金具の側面図である。
【図４】本考案に係る調整可能な壁掛金具における回り部品２０の部分断面図である。
【図５】本考案に係る調整可能な壁掛金具においてモニター上向きまたは下向きを調整した状態の側面図である。
【図６】本考案に係る調整可能な壁掛金具においてモニター上向きまたは下向きを調整した状態の側面図である。
【図７】本考案に係る調整可能な壁掛金具においてモニターを回転した状態の正面図である。
【図８】本考案に係る調整可能な壁掛金具においてモニターを回転した状態の正面図である。
【図９】本考案に係る調整可能な壁掛金具においてモニターを掛けさせると共に、スタンドに設置される状態を示す後側斜面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１乃至図３に示すように、本考案に係る調整可能な壁掛金具は、回転部品１０と、回り部品２０とを有し、該回転部品１０は、固定座１１と、回転座１２と、２つの回転棒体部品１３とを備えるものであり、その内、該固定座１１は、内部が空ろの矩形ケースであり、両側壁部がそれぞれ後方に向かって延設される、モニター支持フレームに掛け止める複数のホック１１０を有するものである。
【００１４】
前記回転座１２は、回動自在に前記固定座１１に設けられ、前面板体１２０と、それぞれ該前面板体１２０の両側から前記固定座１１に向かって延出する２つの側面板体１２１と、該前面板体１２０の正面に凹設される円形の位置決め凹部１２２と、該前面板体１２０の正面における位置決め凹部１２２近傍に凸設される２つの回り止め凸部１２３と、該各側面板体１２１の中段に穿設される枢軸孔１２４と、該各側面板体１２１の上部または下部に穿設されると共に、該枢軸孔１２４を円心とする弧状を呈する２つの摺動孔１２５と、該各摺動孔１２５に位置する環状のガスケット１２６とを備えるものである。
【００１５】
前記２つの回転棒体部品１３は、前記固定座１１に対して回転座１２を上向きまたは下向きに回動させるために、それぞれ前記２つの側面板体１２１に設けられて前記固定座１１に固定されるものであり、該各回転棒体部品１３は、それぞれ前記側面板体１２１の相対する両側に設置される内棒体１３０および外棒体１３１と、該外棒体１３１の中段、前記側面板体１２１の枢軸孔１２４、該内棒体１３０の中段に枢設されて前記固定座１１の側壁部に螺設される支点ねじ１３２と、それぞれ該外棒体１３１の両端、前記側面板体１２１にある２つの摺動孔１２５、該摺動孔１２５に位置する２つのガスケット１２６、該内棒体１３０の両端に挿設されて前記固定座１１の側壁部における上部および下部に螺設される２つの摺動ねじ１３３とを備えるものであり、そこで、回転棒体部品１３は、内棒体１３０および外棒体１３１における中段で前記固定座１１および回転座１２に枢設されると共に、両端ではそれぞれ２つの摺動孔１２５と対応するように設置されるから、前記固定座１１に対して回転座１２を上向きまたは下向きに回動させることが可能である。
【００１６】
図２および図４に示すように、前記回り部品２０は、前記回転部品１０の回転座１２に設けられ、前記回転座１２の位置決め凹部１２２に位置する内環体２１と、矩形のプレートを呈する、該内環体２１および前記回転座１２に設けられる回り座２２と、該内環体２１と対応するように該回り座２２の中央に穿設される貫通孔２２０と、前記回転座１２に面する該回り座２２の後面に凸設されるように、回転座１２が回転時において同一の円周状回転軌道における前記回り止め凸部１２３と反対する側に位置する２つの当接凸部２２１と、該貫通孔２２０と対応するように該回り座２２に設けられる外環体２３と、短い円柱状を呈する位置決め座２４とを備えるものである。
【００１７】
また、該位置決め座２４は、内端が該外環体２３、該回り座２２の貫通孔２２０、該内環体２１を通して前記回転座１２の位置決め凹部１２２に当接されると共に、少なくとも１つの結合ねじ２５によって前記回転座１２に螺設されるように、外端周縁から延設される、該貫通孔２２０の内径より大径なフランジ２４１を備えるものである。さらに、該フランジ２４１は、該外環体２３および回り座２２の貫通孔２２０の周囲に当接されるため、回り座２２を位置決め座２４から脱出しないように外環体２３と内環体２１との間に回転させる。
【００１８】
本考案に係る調整可能な壁掛金具を使用する場合、モニターに装着された掛け部材によってモニター全体が直接に回り部品２０の回り座２２に設けられることがあり、また、図５、図６または図９に示すように、モニターは上向きあるいは下向きに調整される必要があれば、先ず摺動ねじ１３３を解放してモニターおよび回り座２２を上方あるいは下方に回転させる、この時、回転座１２が支点ねじ１３２を中心として固定座１１に対して自由に回転されることが可能であり、その回転によって、内棒体１３０または外棒体１３１は、それぞれ上端および下端が上部および下部の摺動孔１２５の反対側の端に移動されることから、モニターを適当な角度に調整させることができる。その後、また摺動ねじ１３３を装着して回転座１２を固定座１１に固定させてからモニターを上向きあるいは下向きの傾斜状態に維持することができる。
【００１９】
図２、図７または図９に示すように、モニターは縦あるいは横に調整する必要があれば、先ず結合ねじ２５を解放してモニターおよび回り座２２を時計回りあるいは反時計回りに回転させる。この時、回り座２２が位置決め座２４を中心として自由に時計回りあるいは反時計回りに回転することが可能であり、その後、モニターを適当な角度に調整させると、また結合ねじ２５を装着して回り座２２を回転座１２に固定して任意の角度で止めることができる。モニターを縦あるいは横の傾斜状態に維持することができる。さらに、モニターを回す時に、一旦当接凸部２２１が回り止め凸部１２３に当接されると、モニターは回り続けずモニターの回転最大限となる。
【産業上の利用可能性】
【００２０】
本考案は上記の構成を有することから、回転部品１０および回り部品２０の備え、それによりモニターを上向きあるいは下向きに調整させる機能および時計回りおよび反時計回りに回転する機能を有し、視聴者は簡単にモニターを適当な角度に調整させて見やすい表示状態を得る。
【符号の説明】
【００２１】
１０                  回転部品
１１                  固定座
１１０            ホック
１２                  回転座
１２０            前面板体
１２１            側面板体
１２２            位置決め凹部
１２３            回り止め凸部
１２４            枢軸孔
１２５            摺動孔
１２６            ガスケット
１３                  回転棒体部品
１３０            内棒体
１３１            外棒体
１３２            支点ねじ
１３３            摺動ねじ
２０                  回り部品
２１                  内環体
２２                  回り座
２２０            貫通孔
２２１            当接凸部
２３                  外環体
２４                  位置決め座
２４１            フランジ
２５                  結合ねじ
【図１】
0003165408.tif 000003
【図２】
0003165408.tif 000004
【図３】
0003165408.tif 000005
【図４】
0003165408.tif 000006
【図５】
0003165408.tif 000007
【図６】
0003165408.tif 000008
【図７】
0003165408.tif 000009
【図８】
0003165408.tif 000010
【図９】
0003165408.tif 000011